(57)【要約】【課題】ロータリー型のチェンジャーにおいて、ロータリートレイのトラバースの通る開口部に８ｃｍＣＤを半分落として不正規な置き方をすると、ロータリートレイの回転で８ｃｍＣＤが装置内に運ばれて落込んでしまい取れなくなるという問題があった。特に薄型化するとロータリートレイとトレイベースの隙間が小さくなり、装置内部に運ばれ易く薄型化することが難しかった。【解決手段】トレイベースのロータリートレイ収納部の外壁より４ｃｍ以内に凸部を設けることで、８ｃｍＣＤを開口部からずれた位置に８ｃｍＣＤを跳ね上げることができ、再度落込むことが無くなり装置内への落込みが無くなる。また、ディスク装填位置でトレイベースに凹部を設けることで、ロータリートレイが回転してもディスクを装置内に運ぶ前にその場に落とすため、装置内への落込みが無くなる。【選択図】  図１
2004288234.tif 000002
【特許請求の範囲】
【請求項１】
ディスクを記録／再生するトラバースと、前記ディスクを載置する少なくとも一つの第一の凹部と前記第一の凹部と一致する位置に前記トラバースが通る開口部とを有し、前記第一の凹部にディスクを載置して記録／再生位置と待機位置の間を回転または平行移動により移動させる第一のトレイと、前記第一のトレイが組み込まれる第二の凹部を有し、前記第二の凹部に前記第一のトレイを回転自在または摺動自在に支持して前記第一の凹部の少なくとも１つを装置外に突出させる第一の位置と前記第一の凹部の一つを前記トラバースに合わせる第二の位置との間を摺動自在に移動するように設けた第二のトレイとを備え、前記第二の凹部において、前記待機位置の少なくとも一つと前記記録／再生位置の間にあって、前記第二の凹部の壁から４ｃｍ以内の位置に少なくとも一つ略垂直の壁を持つ凸部を設けたことを特徴とする情報記憶装置。
【請求項２】
前記凸部が前記第一の位置側を内側とする内径略８ｃｍの円弧状のリブであることを特徴とする請求項１記載の情報記憶装置。
【請求項３】
前記リブの円弧内側部分が前記第一の凹部を前記待機位置から前記記録／再生位置に移動する方向に向かって深くなるテーパ状の傾斜を持つ第三の凹部を有することを特徴とする請求項１記載の情報記憶装置。
【請求項４】
ディスクを記録／再生するトラバースと、前記ディスクを載置する少なくとも一つの第一の凹部と前記トラバースが通る開口部とを有し、前記第一の凹部にディスクを載置して記録／再生位置と待機位置の間を回転または平行移動により移動させる第一のトレイと、前記第一のトレイが組み込まれる第二の凹部を有し、前記第二の凹部に前記第一のトレイを回転自在または摺動自在に支持して前記第一の凹部の少なくとも１つを装置外に突出させる第一の位置と前記第一の凹部の一つを前記トラバースに合わせる第二の位置との間を摺動自在に移動するように設けた第二のトレイとを備え、
前記第二のトレイが前記第一の位置において、前記第二の凹部の装置外に突出した位置に第四の凹部を有することを特徴とした情報記憶装置。
【発明の詳細な説明】
【０００１】
【発明の属する技術分野】
本発明はＯＰＥＮ／ＣＬＯＳＥするトレイベースの上を回転またはスライドするトレイを持つタイプのディスクチェンジャーを搭載した情報記憶装置に関するものである。
【０００２】
【従来の技術】
近年、ユーザーの利便性のため、ディスクを複数枚装置内に保持でき、また、再生するディスクを装置内で交換可能なチェンジャーが各種開発されている。その一つの方式にロータリートレイに、複数枚のディスクを載置してロータリートレイを回転することで任意のディスクを選択し、再生可能なものがある。このロータリー型のディスクチェンジャーを搭載した情報記憶装置は、演奏中の交換が可能、薄型化／静音性の面ですぐれていることから多くの需要があり、また、さらに薄型化の要望があり、その開発にしのぎが削られている。
【０００３】
このタイプのチェンジャーの構成はＯＰＥＮ／ＣＬＯＳＥするトレイベースの上に凹部を設け、その凹部にディスク載置のためのいくつかの凹部と、それに対となるトラバースのターンテーブルとピックアップが通り抜けるためのＵ字状の開口部を持つロータリートレイが回動自在に支持されている。
【０００４】
そしてその動作は、トレイベースをＯＰＥＮして装置外に現れたロータリートレイにディスクを載せ、トレイベースをＣＬＯＳＥさせた後、ロータリートレイを回転させてトラバースの位置までディスクを搬送する。その後、トラバースをアップしてディスクをクランプした後、ディスクを回転してピックアップでディスクの情報を読み出し再生を行う。また、演奏位置以外のロータリートレイの凹部にディスクを載置して装置内に持っておくことができ、トラバースをダウンしてロータリートレイを回転させることで、装置内の他のディスクと演奏を交換できる。
【０００５】
ところで、このロータリー型のチェンジャーはトレイベース後方にディスクを再生するためのトラバースが通り抜ける開口部がある。そのため、トレイベースがＯＰＥＮ状態において不正規にディスクがロータリートレイに載せられた状態でロータリートレイを回転させると、ロータリートレイの回転でディスクがその開口部に運ばれ、ディスクが装置内部に落ち込んでしまうという問題があった。これに対して、従来トレイベースがＯＰＥＮ状態において、ディスクの落ち込みがないよう後方の開口部を塞ぐ機構が考案されている（例えば特許文献１参照。）。
【０００６】
【特許文献１】
特許第３３２８９８２号公報
【０００７】
【発明が解決しようとする課題】
ところで、ロータリートレイの開口部であるが、ロータリートレイの凹部は少なくとも１２ｃｍＣＤを搬送するため凹部中心から外側に６０ｍｍ以上あり、また、半径約１５ｍｍのターンテーブルが通り抜ける必要があるので内側に１５ｍｍ以上あり、さらに隙間余裕を考慮するとトータルで８０ｍｍ以上の長さの孔となっている。よって、８ｃｍＣＤの置き方が悪いと、この開口部に入り込んでしまう。仮にこの開口部に８ｃｍＣＤの半分が落ち込み、半分がロータリートレイ上に残された状態でロータリートレイを回転させてみる。従来ではロータリートレイとトレイベースの隙間が十分にあったため、８ｃｍＣＤはロータリートレイから完全に脱落して、装置奥へ搬送されることなく、ディスクを取り出すことができた。しかしながら、装置の薄型化が進み、ロータリートレイとトレイベースの隙間が小さくなると、ロータリートレイの開口部に８ｃｍＣＤが保持された状態で装置奥へ搬送されてしまう。そして従来は、トレイベースの後方の開口部を閉じる機構があっても、トレイベースの開口ではなくロータリートレイの開口部から８ｃｍＣＤが装置内に落ち込むという問題が生じていた。
【０００８】
本発明は上記問題点に鑑み、薄型化をしても８ｃｍＣＤを装置内に落ち込ませることのないロータリー型チェンジャー搭載の情報記憶装置を提供するものである。
【０００９】
【課題を解決するための手段】
上記問題点を解決するために、本発明の請求項１に記載の発明は、ディスクを記録／再生するトラバースと、ディスクを載置する少なくとも一つの第一の凹部と第一の凹部と一致する位置にトラバースが通る開口部とを有し、第一の凹部にディスクを載置して記録／再生位置と待機位置の間を回転または平行移動により移動させる第一のトレイと、第一のトレイが組み込まれる第二の凹部を有し、第二の凹部に第一のトレイを回転自在または摺動自在に支持して第一の凹部の少なくとも１つを装置外に突出させる第一の位置と第一の凹部の一つをトラバースに合わせる第二の位置との間を摺動自在に移動するように設けた第二のトレイとを備え、第二の凹部において、待機位置の少なくとも一つと前記記録／再生位置の間にあって、第二の凹部の壁から４ｃｍ以内の位置に少なくとも一つ略垂直の壁を持つ凸部を設けたことを特徴とするものである。この発明によれば、凸部が落ち込んだ８ｃｍＣＤの外側と衝突するため、８ｃｍＣＤがロータリートレイの内側に向かって弾き飛ばされてロータリートレイ上の開口部からずれた位置に乗り上げるため、飛ばされた量が少なくても再び落ちることがなく、確実に８ｃｍＣＤの装置内への落ち込みを防止できるという効果を有する。
【００１０】
請求項２の発明は凸部が第一の位置側を内側とする半径略４ｃｍの円弧状のリブであることで、８ｃｍＣＤが凸に衝突する際、転がるように方向を変えてロータリートレイの内側に弾き飛ばせるため、より確実にロータリートレイ上の開口部とずれた位置に載せることができる。
【００１１】
請求項３の発明はリブの円弧内側部分が第一の凹部を待機位置から記録／再生位置に移動する方向に向かって深くなるテーパ状の傾斜を持つ第三の凹部を有することで、薄型で凸部の高さが十分にとれなくても、８ｃｍＣＤの衝突する壁の高さを確保でき、８ｃｍＣＤのエッジがなまっていても確実に弾き飛ばしてロータリートレイに載せることができる。
【００１２】
請求項４の発明は第二のトレイが第一の位置において、第二の凹部の装置外に突出した位置に第四の凹部を有することで、ロータリートレイの回転で半分落ち込んだ８ｃｍＣＤを引きずって装置内に送り込むことなく、その場に残すことができ、装置内への落ち込みを防止することができる。
【００１３】
【発明の実施の形態】
以下に本発明における情報記憶装置の実施の形態について、図面を参照しながら説明する。
【００１４】
（実施の形態）
図１は本発明の実施の形態における情報記憶装置の構成を示すものである。１は図示せぬディスクを回転させるターンテーブル２と回転したディスク上の情報を読み取るピックアップ３を有するトラバースである。４はトラバース１のターンテーブル２、ピックアップ３が通過するＵ字状の開口部４ａを５つ有する第一のトレイであるロータリートレイである。開口部４ａは請求項記載の開口部である。開口部４ａはロータリートレイの回転中心より放射上の外側に向いて開いており、開口部４ａと一致するように８ｃｍディスク用の凹部４ｂとその同芯上に１２ｃｍディスク用の凹部４ｃが５つ設けられている。この凹部４ｂ、凹部４ｃが請求項記載の第一の凹部である。また、ロータリートレイ４の回転中心には孔４ｄが設けられている。５はロータリートレイ４を収める壁５ａを持つ請求項記載の第二の凹部である凹部５ｂが設けられ、軸５ｃにおいて孔４ｄと係合してロータリートレイ４を回動自在に支持する請求項記載の第二のトレイであるトレイベースである。ロータリートレイ４はネジ６によって軸５ｃに隙間を持って止められており、抜け止めがなされている。トレイベース５にはロータリートレイ４の図示せぬギヤと噛み合うギヤ７ａを有するプーリ７が回動自在に設けられており、プーリ７にはベルト８がかかっており、ベルト８は逆側で図示せぬモータに圧入されたプーリ９にかかっている。また、トレイベース５の凹部５ｂにはロータリートレイ４の凹部４ｂ、凹部４ｃに載置されたディスクを再生するトラバース１が通り抜けるための開口部５ｄが設けられ、また開口部５ｄと反対側でトレイベースＯＰＥＮ状態において装置外に突出する位置に請求項記載の第四の凹部である凹部５ｅが２つ設けられている。凹部５ｅと開口部４ａの位置は一致している。また、凹部５ｂには開口部５ｄと２つ凹部５ｅの間にそれぞれ請求項記載の凸部であるリブ５ｆが設けられている。リブ５ｆの凹部５ｅ側にはリブ５ｆに向かって徐々に深くなるテーパ状の第三の凹部である凹部５ｇが設けられ、リブ５ｆの凹部５ｇ側の壁５ｈは垂直に形成されている。またリブ５ｆは軸５ｃより遠い側が凹部５ｇ側に湾曲しており、半径約４ｃｍの円弧状に設けられている。
【００１５】
以上のように構成された情報記憶装置について、以下その動作について説明する。まず、トレイベース５を図示せぬ駆動手段でＯＰＥＮさせると、トレイベース５に設けられたロータリートレイ４が伴われて装置外に出てくる。凹部５ｅと一致した２つの凹部４ｂ、凹部４ｃが装置外に出たところでトレイベース５は停まる。ここで凹部４ｂまたは凹部４ｃにディスクを載せる。ディスクが載せられたロータリートレイ４は図示せぬモータ、プーリ９、ベルト８、プーリ７で構成されたロータリートレイ駆動手段で回転する。すなわち、まずプーリ９が圧入されたモータを回転させてプーリ９を回転させる。次にプーリ９の動力はベルト８、プーリ７に伝達され、ギヤ７ａよりロータリートレイ４に伝わり、ロータリートレイ４が回転する。ロータリートレイ４が回転すると、ディスクが載せられた凹部４ｂ、凹部４ｃは装置内に隠れ、これまで装置内に隠れていた凹部４ｂ、凹部４ｃが現れる。さらにディスクの置かれていない凹部４ｂ、凹部４ｃにディスクを載せてロータリートレイ４を回転させる。これを繰り返してロータリートレイ４へのディスクの載置が完了する。この動作で既にディスクが置かれている凹部４ｂ、凹部４ｃがあった場合、必要に応じてそのディスクの交換も可能となる。
【００１６】
次にトレイベース５を図示せぬ駆動手段でＣＬＯＳＥさせると、トレイベース５に設けられたロータリートレイ４が伴われて装置内に戻る。この状態でトレイベース５の開口部５ｄはトラバース１と水平方向で一致する。続いて装置内に戻したロータリートレイ４をロータリートレイ駆動手段で回転して、選択したディスクが載せられた凹部４ｂ、凹部４ｃを開口部５ｄの位置に合わる。位置合わせが終了した後、トラバース１を図示せぬＵＰ／ＤＯＷＮ手段で、上昇させて凹部４ｂ、凹部４ｃ上のディスクをターンテーブル２に載せて図示せぬクランパでターンテーブル２に固定する。その後、ターンテーブル２を回転させることにより、ピックアップ３でディスク上の情報を読み出し可能となる。
【００１７】
次に８ｃｍＣＤを不正規に載せた場合の動作について図２、３を用いて説明する。図２は本発明における実施の形態の動作を示す上面図であり、図３は本発明における実施の形態の動作を示す側面図である。まずロータリートレイ４の開口部４ａについて説明する。開口部４ａは凹部４ｃが１２ｃｍＣＤを載置するため凹部４ｃ中心より外側に６０ｍｍ以上（Ｅ）必要である。また開口部４ａは直径約３０ｍｍのターンテーブル２が通過するため孔４ｄに向かって凹部４ｃ中心より１５ｍｍ以上（Ｆ）必要である。よって、通過余裕等を考慮して開口部の長手方向の距離Ｅ＋Ｆは通常８ｃｍ以上に設定されるため、８ｃｍＣＤは開口部４ａを通り抜けることができる。
【００１８】
次に不正規に置かれた８ｃｍＣＤの状態について説明する。ロータリートレイ４は孔４ｄにおいてトレイベース５の軸５ｃで回動自在に支持されており、Ａ方向に回転する。ここでＡ方向はディスクの装填側からディスク再生位置に向かって回転している。８ｃｍＣＤ１００は正規の載置位置である凹部４ｂから外れ、Ａ方向上流側が凹部４ｃ、凹部４ｂのエッジ４ｅに乗り上げており、Ａ方向下流側が脱落してロータリートレイ４の下に潜り込んでいる。開口部５ｄ以外では装置内に落ち込むことなくトレイベース５の凹部５ｂにより８ｃｍＣＤ１００は支えられている。
【００１９】
次に請求項記載の凸部であるリブ５ｆ、請求項記載の第三の凹部である凹部５ｇについて説明する。リブ５ｆはＡ方向の上流側に向かって湾曲しており、壁５ａより軸５ｃがある方向に約４ｃｍ内で半径約４ｃｍの円弧状と、それに続く直線で構成されている。リブ５ｆのＡ方向上流側にはリブ５ｆに近づくにつれて深くなるテーパ状の凹部５ｇを有し、リブ５ｆの凹部５ｇ側には垂直の壁５ｈが設けられている。
【００２０】
この状態において、ロータリートレイ４がＡ方向に回転すると、８ｃｍＣＤ１００はエッジ４ｅで押されてＡ方向にロータリートレイ４と共にＡ方向に移動する。このとき、８ｃｍＣＤ１００の移動の進行方向側はトレイベース５の凹部５ｂ上に接触して滑りながらＡ方向に移動していく。しばらく、移動すると８ｃｍＣＤ１００の移動の進行方向側は徐々に深くなる凹部５ｇに沿って沈んでいき、凹部５ｇの終端であるリブ５ｆの垂直な壁５ｈに衝突する。８ｃｍＣＤ１００は壁５ｈに衝突するとＡ方向へ移動を阻止され、衝突の衝撃でＢ方向へ力を受ける。図４は８ｃｍＣＤ１００が壁５ｈに弾き飛ばされた状態を示す側面図である。図に示すように８ｃｍＣＤ１００が壁５ｈに衝突して弾き飛ばされると同時に、ロータリートレイ４はＡ方向に向かって進んでいき、８ｃｍＣＤ１００をすくい上げていく。これにより、８ｃｍＣＤ１００はロータリートレイ４上に乗り上げることが可能となる。また、このとき、図２に示すように、リブ５ｆが約４ｃｍの円弧状をしていて８ｃｍＣＤ１００の外側と転がるように当接するため、８ｃｍＣＤ１００はＣ方向へも力を受ける。これにより８ｃｍＣＤ１００はＢ方向とＣ方向の合力の方向へ弾かれる。図５は８ｃｍＣＤ１００が壁５ｈに弾き飛ばされ状態を示す上面図である。図５に示すように８ｃｍＣＤ１００はＢ方向だけでなくＣ方向にも力を受けているので、Ｃ方向にずれて弾き飛ばされる。これにより、８ｃｍＣＤ１００は軸５ｃ方向に若干ずれてロータリートレイ４の上に乗り上げることとなる。これにより、８ｃｍＣＤ１００はロータリートレイ４の回転で開口部５ｄに運ばれても落ち込むことはなく、さらにロータリートレイ４を回転させて装置外に取り出すことができる。
【００２１】
ここで、リブ５ｆが直線のみであった場合、８ｃｍＣＤ１００はＢ方向にのみ弾かれて真っ直ぐ乗り上げる。真っ直ぐ乗り上げると、乗り上げ量が少ない場合、ロータリートレイ４が停止した際の自分の慣性力により前へ飛び出して再び開口部４ａに落ちてしまう場合がある。しかしながら本実施の形態であれば、リブ５ｆの壁５ｈ側が円弧状となっているため、Ｃ方向へも力が働き、軸５ｃ側へ寄った状態で乗り上げるため、ロータリートレイ４が停止した際の自分の慣性力により前へ飛び出しても、開口部４ａとずれた位置に８ｃｍＣＤ１００が乗り上げているため、再び、開口部４ａに落ち込むことがない。
【００２２】
また、リブ５ｆが８ｃｍＣＤ１００の外形と略同じ円弧状をしているため転がるようにＣ方向への力を出せるため、より確実に軸５ｃ方向にずれて乗り上げさせることができる。また、リブ５ｆの手前で徐々に深くなる凹部を設けているため、装置の薄型のためロータリートレイ４とトレイベース５の隙間が小さくリブ５ｆの高さが十分とれなくても、リブ５ｆの壁５ｈはディスクのエッジのダレより十分に高い高さがとれる。これにより、確実に８ｃｍＣＤ１００を引っかけて、弾き飛ばすことが可能となる。
【００２３】
ここで、リブ５ｆ、凹部５ｇ、壁５ｈを左右両方に設けているので、ロータリートレイ４の回転方向がＡ方向と逆方向に回転する場合でも、同様に不正規に置かれた８ｃｍＣＤ１００を確実にロータリートレイ４の上に跳ね上げることが可能となる。
【００２４】
次に８ｃｍＣＤ１００がロータリートレイ４回転方向Ａに対して、Ａ方向下流側が凹部４ｂ、４ｃのエッジに乗り上げ、Ａ方向上流側が脱落してロータリートレイ４の下に潜り込んでいる場合の動作について図６、図７を用いて説明する。図６は本発明における実施の形態の動作を示す上面図であり、図７は本発明における実施の形態の動作を示す側面図である。
【００２５】
まず、前述したように開口部の長手方向の距離は通常８ｃｍ以上に設定さているため開口部４ａを通り抜けることができる。ロータリートレイ４は孔４ｄにおいてトレイベース５の軸５ｃで回動自在に支持されており、Ａ方向に回転する。ここでＡ方向はディスクの装填側からディスク再生位置に向かって回転している。８ｃｍＣＤ１００は正規の載置位置である凹部４ｂから外れ、Ａ方向下流側が凹部４ｃ、凹部４ｄのエッジ４ｆに乗り上げており、Ａ方向上流側が脱落してロータリートレイ４の下に潜り込んでいる。開口部５ｄ以外では装置内に落ち込むことなくトレイベース５の凹部５ｂにより８ｃｍＣＤ１００は支えられている。
【００２６】
この状態でロータリートレイ４を回転させると、薄型のためロータリートレイ４とトレイベース５の隙間が小さいため、８ｃｍＣＤ１００はトレイベース５ｂと開口部４ａのエッジ４ｅとエッジ４ｆに挟まれて保持され、エッジ４ｅに押されて装置内に運ばれていく。しかしながら、本発明の実施の形態では請求項記載の第四の凹部である凹部５ｅが設けられているため、８ｃｍＣＤ１００のＡ方向上流側のエッジが凹部５ｅに落ち込み、８ｃｍＣＤ１００とエッジ４ｅが離れる。エッジ４ｅが離れて８ｃｍＣＤを移動させる推進力がなくなると凹部５ｅとの摩擦力で８ｃｍＣＤ１００の移動が停まる。その間にロータリートレイ４は回転しているのでエッジ４ｆがＡ方向に移動し、８ｃｍＣＤ１００のＡ方向下流側が開口部４ａに落ち込み、完全にロータリートレイ４から落ちてしまう。図８は８ｃｍＣＤ１００がロータリートレイ４から完全に落ち込んだ状態を示す側面図である。図８に示すように、８ｃｍＣＤ１００はＡ方向上流側が凹部５ｅ落ち込むことにより、エッジ４ｅから完全に離れ、Ａ方向下流側もエッジ４ｆから落ち込み、完全にトレイベース５の凹部５ｂ、５ｅ上に落ち込む。そしてそれ以上はロータリートレイ４からの影響を受けないため、その場に残される。しかしながら、凹部５ｅの位置はトレイベース５のディスクの装填位置に設けられているのでトレイベースＯＰＥＮ状態で、落ち込んだ部分を装置外に露出させることができ、また、ロータリートレイ４は手で自由に回転できるため、開口部４ａを落ち込んだ８ｃｍＣＤに合わせることもでき、またさらに、前述したように開口部４ａは８ｃｍ以上の大きさの開口を持つため、開口部４ａから８ｃｍＣＤ１００を容易に取り出すことが可能である。
【００２７】
ここで、凹部５ｅは左右両方に設けたため、ロータリートレイ４の回転方向がＡ方向と逆の場合も同様に不正規に置かれた８ｃｍＣＤをその場に落とせることができ、装置内への落ち込みを防止できる。
【００２８】
以上のように本実施の形態によれば、ディスク装填側とトラバース側の間で、トレイベース５の凹部５ｂの壁５ａより４ｃｍ以内にリブ５ｆを設けたことにより不正規に載せられた８ｃｍＣＤをロータリートレイ４の開口部４ａよりずれた位置に跳ね上げることができ、再び慣性力で開口部４ａに落ち込むことがなく、開口部５ｄからの装置内への落ち込みを防止することができる。
【００２９】
また、リブ５ｆが半径約４ｃｍで８ｃｍＣＤの外形と略同じ形状にしておくことで、転がるようにして、軸５ｃ方向に力を生み出すことができ、確実にロータリートレイ４の開口部４ａよりずれた位置に跳ね上げることができ、再び慣性力で開口部４ａに落ち込むことがなく、開口部５ｄからの装置内への落ち込みを防止することができる。
【００３０】
また、装置が薄型化のためにロータリートレイ４とトレイベース５の隙間が少なくリブ５ｆが十分な高さをとれなくても、リブ５ｆのディスク装填側にリブ５ｆに近づくにつれて深くなる凹部５ｇを設けることで、リブ５ｆのディスク装填側の壁５ｈを十分高くとれ、確実にロータリートレイ４の上に跳ね上げることができ、開口部５ｄからの装置内への落ち込みを防止することができる。
【００３１】
なお、本実施の形態では、壁５ａより４ｃｍ以内のところに８ｃｍＣＤが合う円弧状のリブ５ｆを設けたが、ロータリートレイ４の回転が早く、跳ね飛ばす力が十分あれば、壁５ａより４ｃｍ以内のところに円筒、四角柱形状は問わずボスを設けることにより、同様の、効果を得ることができる。
【００３２】
また、本実施の形態ではリブ５ｆの前に凹部５ｇを設けたがリブ５ｆが十分に高さをとることが可能であれば、凹部５ｇを設けなくても効果を得ることが可能である。
【００３３】
また、凹部５ｅの凹み形状は本実施例のような形状でなく、滑らかな円弧上の凹みでも良く、凹みの大きさはロータリートレイ４とトレイベース５の隙間にあわせて、小さくても大きくても構わない。
【００３４】
【発明の効果】
以上のように本発明によれば、トレイベース上に凹部、凸部を設けることで、薄型化しても小径のディスクの装置内への落ち込みを起こさないロータリー型チェンジャー搭載の情報記憶装置が可能となる。
【図面の簡単な説明】
【図１】本発明の実施の形態における情報記憶装置の構成図
【図２】本発明の実施の形態における情報記憶装置の動作を示す上面図
【図３】本発明の実施の形態における情報記憶装置の動作を示す側面図
【図４】本発明の実施の形態における、８ｃｍＣＤが壁に弾き飛ばされた状態を示す側面図
【図５】本発明の実施の形態における、８ｃｍＣＤが壁に弾き飛ばされ状態を示す上面図
【図６】本発明の実施の形態における情報記憶装置の動作を示す上面図
【図７】本発明の実施の形態における情報記憶装置の動作を示す側面図
【図８】本発明の実施の形態における、８ｃｍＣＤがロータリートレイから完全に落ち込んだ状態を示す側面図
【符号の説明】
１  トラバース
２  ターンテーブル
３  ピックアップ
４  ロータリートレイ
４ａ、５ｄ  開口部
４ｂ、４ｃ、５ｂ、５ｅ、５ｈ  凹部
４ｄ  孔
４ｅ、４ｆ  エッジ
５ａ、５ｈ  壁
５ｃ  軸
５ｆ  リブ
６  ネジ
７、９  プーリ
７ａ  ギヤ
８  ベルト
【図１】
2004288234.tif 000003
【図２】
2004288234.tif 000004
【図３】
2004288234.tif 000005
【図４】
2004288234.tif 000006
【図５】
2004288234.tif 000007
【図６】
2004288234.tif 000008
【図７】
2004288234.tif 000009
【図８】
2004288234.tif 000010